(57)【要約】【課題】フォルダのスクロール操作とサムネイル画像のスクロール処理との観念性が容易に理解でき、所望する画像情報をいち早く、かつ容易な操作で検索することができるユーザインターフェース表示装置及びその操作方法を提供する。【解決手段】上位階層の複数のフォルダのアイコンを画面の上位階層表示部１に左右方向に配列し、特定位置１ａに表示されたフォルダＣに属する下位階層の複数のファイルＣ１〜Ｃ２０のサムネイル画像を下位階層表示部２に略く字状、略Ｃ字状のように折曲状に配列し、特定位置２ａである折曲部に位置するサムネイル画像は相対的に大サイズとする。フォルダのアイコンＡ，Ｂ，Ｃ，…，Ｎは、左右方向指示キーの操作によってスクロールして選択し、ファイルＣ１〜Ｃ２０のサムネイル画像は、上下方向指示キーの操作によってスクロールして選択する。【選択図】図１
2006268295.tif 000002
【特許請求の範囲】
【請求項１】
上位階層に属する複数の項目のアイコンを左右または上下方向に配列する上位階層表示部と、該上位階層表示部の特定位置にある項目に属する複数の項目のアイコンまたは説明文を前記上位階層に属する複数の項目のアイコンの配列方向と異なる方向に配列する下位階層表示部とを隣接して配置し、前記上位階層に属する複数の項目のアイコンの配列方向と一致した左右または上下方向指示キーの操作により、前記上位階層に属する複数の項目のアイコンをスクロールして所望の上位階層の項目を選択し、前記上位階層に属する複数の項目のアイコンの配列方向と異なる上下または左右方向指示キーの操作により、前記下位階層に属する複数の項目のアイコンまたは説明文をスクロールして所望の下位階層の項目を選択することを特徴とするユーザインターフェース表示装置。
【請求項２】
上位階層に属する複数のフォルダのアイコンを左右または上下方向に配列する上位階層表示部と、該上位階層表示部の特定位置にあるフォルダに属する複数のファイルのサムネイルを折曲状に配列する下位階層表示部とを隣接して配置し、左右または上下方向指示キーの操作により前記複数のフォルダのアイコンをスクロールして所望のフォルダ選択し、上下または左右方向指示キーの操作により前記複数のサムネイルをスクロールして所望のファイルを選択することを特徴とするユーザインターフェース表示装置。
【請求項３】
請求項２に記載のユーザインターフェース表示装置において、前記上位階層表示部は前記複数のフォルダのアイコンを左右方向に配列し、前記下位階層表示部は選択されたフォルダに属する複数のファイルのサムネイルを上下方向に折曲状に配列し、折曲部に位置するサムネイルは他のサムネイルより大サイズであって、前記フォルダのアイコンは左右方向指示キーの操作により選択し、前記ファイルのサムネイルは上下方向指示キーの操作により選択することを特徴とするユーザインターフェース表示装置。
【請求項４】
請求項２に記載のユーザインターフェース表示装置において、前記上位階層表示部は前記複数のフォルダのアイコンを上下方向に配列して画面側部に配置し、前記下位階層表示部は前記上位階層表示部の側方に配置して、選択されたフォルダに属する複数のファイルのサムネイルを左右方向に折曲状に配列し、折曲部に位置するサムネイルは他のサムネイルより大サイズであって、前記フォルダのアイコンは上下方向指示キーの操作により選択し、前記ファイルのサムネイルは左右方向指示キーの操作により選択することを特徴とするユーザインターフェース表示装置。
【請求項５】
請求項３または４に記載のユーザインターフェース表示装置において、前記折曲部に位置するサムネイルのファイル情報を表示することを特徴とするユーザインターフェース表示装置。
【請求項６】
請求項３または４に記載のユーザインターフェース表示装置において、前記下位階層表示部に表示されているサムネイルのファイルが前記複数のファイル全体に対して占める位置及び大きさを表示することを特徴とするユーザインターフェース表示装置。
【請求項７】
請求項３または４に記載のユーザインターフェース表示装置において、前記ファイル選択位置のサムネイルを所定の操作により全画面表示にすることを特徴とするユーザインターフェース表示装置。
【請求項８】
上位階層に属する複数のフォルダのアイコンを左右または上下方向に配列する上位階層表示部と、該上位階層表示部の特定位置にあるフォルダに属する複数のファイルのファイル情報を上下または左右方向に並列して配列するとともに、所定位置にある前記ファイル及びその前後の所定数のファイルのサムネイルを上下または左右方向に配列する下位階層表示部とを隣接して配置し、左右または上下方向指示キーの操作により前記複数のフォルダのアイコンをスクロールして所望のフォルダを選択し、上下または左右方向指示キーの操作により前記ファイル情報をスクロールして所望のファイルを選択することを特徴とするユーザインターフェース表示装置。
【請求項９】
請求項８に記載のユーザインターフェース表示装置において、前記下位階層表示部に表示されているファイル情報のファイルが前記複数のファイル全体に対して占める位置及び大きさを表示することを特徴とするユーザインターフェース表示装置。
【請求項１０】
請求項８に記載のユーザインターフェース表示装置において、前記ファイル選択位置のファイルのサムネイルを所定の操作によって全画面表示にすることを特徴とするユーザインターフェース表示装置。
【請求項１１】
上位階層に属する複数の機能のアイコンを左右または上下方向に配列する上位階層表示部と、該上位階層表示部の特定位置にある機能に属する複数の機能のアイコンまたは説明文を前記上位階層に属する複数の機能のアイコンと交叉する方向に配列する下位階層表示部とを隣接して配置し、前記上位階層に属する複数の機能のアイコンの配列方向と一致した左右または上下方向指示キーの操作により、前記上位階層に属する複数の機能のアイコンをスクロールして所望の上位階層の機能を選択し、前記下位階層に属する複数の機能のアイコンまたは説明文の配列方向と一致する上下または左右方向指示キーの操作により、前記下位階層の複数の機能のアイコンまたは説明文をスクロールして所望の下位階層の機能を選択することを特徴とするユーザインターフェース表示装置。
【請求項１２】
上位階層に属する複数のフォルダのアイコンを配列する上位階層表示部と、該上位階層表示部の特定位置にあるフォルダに属する複数のファイルのサムネイルを折曲状に配列する下位階層表示部とが隣接して配置され、前記上位階層表示部で所望のフォルダを選択し、前記下位階層表示部で所望のファイルを選択するユーザインターフェース表示装置の操作方法において、前記フォルダは左右または上下方向指示キーの操作によって前記複数のフォルダのアイコンをスクロールして前記所望のフォルダを前記特定位置に移動させて選択し、前記ファイルは上下または左右方向指示キーの操作によって前記複数のサムネイルをスクロールして前記所望のファイルのサムネイルを折曲部に移動させて選択することを特徴とするユーザインターフェース表示装置の操作方法。
【請求項１３】
上位階層に属する複数のフォルダのアイコンを左右または上下方向に配列する上位階層表示部と、該上位階層表示部の特定位置にあるフォルダに属する複数のファイルのファイル情報を上下または左右に並列して配列するとともに、所定位置にある前記ファイル情報のファイル及びその前後の所定数のファイルのサムネイルを上下または左右方向に配列する下位階層表示部とが隣接して配置され、前記上位階層表示部で所望のフォルダを選択し、前記下位階層表示部で所望のファイルを選択するユーザインターフェース表示装置の操作方法において、前記フォルダは左右または上下方向指示キーの操作によって前記複数のフォルダのアイコンをスクロールして前記所望のフォルダを前記特定位置に移動させて選択し、前記ファイルは上下または左右方向指示キーの操作によって前記ファイル情報をスクロールして前記所望のファイルのファイル情報をファイル選択位置に移動させて選択することを特徴とするユーザインターフェース表示装置の操作方法。
【請求項１４】
上位階層に属する複数の機能のアイコンを左右または上下方向に配列する上位階層表示部と、該上位階層表示部の特定位置にある機能に属する複数の機能のアイコンまたは説明文を前記上位階層に属する項目のアイコンと交叉する方向に配列する下位階層表示部とが隣接して配置され、前記上位階層表示部で上位階層の所望の機能を選択し、前記下位階層表示部で下位階層の所望の機能を選択するユーザインターフェース表示装置の操作方法において、前記上位階層表示部の機能は左右または上下方向指示キーの操作によって前記複数の機能のアイコンをスクロールして前記所望の機能のアイコンを前記上位階層表示部の特定位置に移動させて選択し、前記下位階層表示部の機能は上下または左右方向指示キーの操作によって前記複数の機能のアイコンまたは説明文をスクロールして前記所望の機能のアイコンまたは説明文を選択位置に移動して選択することを特徴とするユーザインターフェース表示装置の操作方法。
【発明の詳細な説明】
【技術分野】
【０００１】
本発明はユーザインターフェース表示装置及びその操作方法に関し、階層構造の２階層、例えばフォルダと該フォルダに属するファイルの表示を、フォルダのアイコンとファイルのサムネイルによって行い、多くのフォルダ及びファイルの中から所望のファイルを迅速、的確に選択するユーザインターフェース表示装置及びその操作方法に関する。
【背景技術】
【０００２】
最近のパーソナルコンピュータ、ＰＤＡ、携帯電話、ゲーム機等の情報処理装置においては、搭載されるアプリケーションの数は増加の一途で、その内容もより複雑化し、入力手段によってどのような操作をすれば所望のフォルダやファイルを検索することができるのか理解するのが困難になっている。また、フォルダやファイルの検索時に表示画面上に表示されるユーザインターフェース画面は、ユーザが操作を容易に想像することができる画面構成となっておらず、表示領域の中に複数の画像を表示しながら、ユーザの各種キーを用いたスクロール操作と画像スクロール処理との観念性が一致せず、操作性の点で満足できるものではなかった。
【０００３】
このような状況の中で、操作性のよいユーザインターフェース表示とするための多くの試みがなされているが、その１つとして特許文献１には、多くの画像の中から所望の画像を迅速且つ確実に選択することを目的とした表示制御装置及び方法が開示されており、この表示制御装置においては、複数の画像情報を電子番組表のジャンル毎に帯状配置し、左右キー操作によってジャンル選択し、上下キー操作によって同ジャンル内の番組に該当する画像情報をスクロール処理するように構成されている。
【０００４】
従来のユーザインターフェース表示装置の他の例について説明する。
図２０，図２１は、それぞれ従来のユーザインターフェース表示装置の例を示す図である。
図２０に示すユーザインターフェース表示装置は、情報処理装置においてフォルダやファイルを検索する時に表示され、一般にフォルダ／ファイル一覧といわれるユーザインターフェース表示であって、四角な表示領域上の比較的小さい表示領域（サムネイル領域）にユーザが認識できる程度のサムネイルをファイル名とともに複数表示する。所望のサムネイルを選択し、所定の操作を行うことによって拡大して大画面表示や全画面表示とすることができる。また、サムネイルが属するフォルダの階層構造上の位置については表示領域内にツリー状に示される。
【０００５】
図２０に示す従来のユーザインターフェース表示装置において、複数のサムネイルを表示領域に一度に帯状配列しようとすると、表示する枚数が多くなるほどサムネイルの表示サイズは小さくならざるを得ない。したがって、表示領域におけるブランクが増え、表示領域を有効利用することができない。
そこで、図２１に示すように複数のサムネイルを上方から下方にジグザグ状に配列して、左右端において折り返すようにしたユーザインターフェース表示装置が知られている。このユーザインターフェース表示装置では、配列の中央所定位置にあるサムネイルについてはファイル名や関連情報が表示され、所定の操作によって拡大表示するようになっている。複数のサムネイルをこのように配列すれば、限られた画面内により多くのサムネイルを表示することが可能になる。
【０００６】
図２２は、従来のユーザインターフェース表示装置の異なる例を示す図であり、例えばゲーム機等の情報処理装置に用いられている画面の一例である。
画面上には、横に大分類のアイコンが並び、縦に大分類に対して次の階層となる中分類のアイコンが並んでいる。中分類より下位の階層のアイコンは、中分類のアイコンの隣に並ぶようレイアウトして表示される。
この中分類以下の構成と表示に関しては３つの傾向があり図２２（Ａ），（Ｂ），（Ｃ）のように大別できる。ここでは仮に（Ａ）を階層型、（Ｂ）を直接型、（Ｃ）をフォルダ型と呼ぶ。
（Ａ）の階層型は例えば大分類での項目が設定となっており、中分類では設定種類（本体設定、日付設定等）、中分類以下の階層では、各設定種類の詳細の設定（日付設定の下位層であれば、日付の表示方法等）が行えるといったように、階層を下がるにつれ、大分類の詳細を確認できるタイプである。主に、設定などの表示に用いられる。
（Ｂ）の直接型は、例えば大分類での項目がテレビやビデオとなっており、中分類ではテレビの番組、ビデオの録画内容といったコンテンツのサムネイルがアイコンとして表示されている。このサムネイルを選択すると即コンテンツの閲覧に切り替わり、コンテンツに対する操作が可能になるタイプである。
（Ｃ）のフォルダ型は、例えば大分類での項目がフォトなどとなっており、中分類以下の階層でフォルダを設け、フォルダごとに画像データを分けて保存し管理を行うタイプである。
【特許文献１】特開２００４−２１５２８８号公報
【発明の開示】
【発明が解決しようとする課題】
【０００７】
例えば、図２０に示すようなフォルダ／ファイル一覧のユーザインターフェース表示装置においては、サムネイル領域にユーザが認識できる程度のサムネイルを表示する際、表示可能なサムネイルの数は、画面のサイズ及びアスペクト比等に依存し、十分な大きさのサムネイルを十分な数、表示することはできない。
図２３は、従来のフォルダ／ファイル一覧のユーザインターフェース表示装置の要部を示す図であって、図２３（Ａ）のように、複数の画像情報を表示領域に一度に帯状配列しようとすると、図２３（Ｂ）のように表示する画像の表示サイズは小さくならざるを得ない。したがって、表示領域におけるブランクが増え、表示領域を有効利用することができない。
【０００８】
一方、前記問題点を解決するために、表示領域を有効に活用して大幅に空いたブランク領域にさらに画像を表示しようとして、図２３（Ｃ）のように帯状配列の画像情報を加えて２次元配列にすると、ユーザが行うべきカーソルの移動操作として少なくとも２軸方向以上、つまりカーソルの上下方向及び左右方向の操作が必要になり、各方向に順送り及び逆送りの操作キーを設けると最低でも４つの方向指示キー操作が必要になるので、操作がより煩雑になる。
【０００９】
また、複数のサムネイルが保存されているメモリ単位で管理している場合（例えば、内蔵メモリや外部メモリといった保存先毎にアイコン表示させ、カーソルでこれらのいずれかを選択するという操作が必要になる場合）、この保存先のメモリの選択を行うための操作手段が別に必要となる。
【００１０】
したがって、本発明は、表示領域の中に複数画像を有効に表示しながら、ユーザによるフォルダのスクロール操作とサムネイルのスクロール処理との観念性が容易に理解でき、互いに隣り合う画像の表示を妨げることのない表示処理を実現するユーザインターフェース表示装置及びその操作方法を提供することを目的とする。
【００１１】
また、表示領域の中に複数画像を有効に表示しながら、ユーザの方向指示キー操作に対してサムネイルのスクロール操作及び各サムネイルの所在先もしくは保存先との観念性が容易に理解でき、ユーザが所望する画像情報をいち早く、かつ容易な操作で検索することができるユーザインターフェース表示装置及びその操作方法を提供することを目的とする。
【課題を解決するための手段】
【００１２】
前記課題を解決するための第１の技術手段は、上位階層に属する複数の項目のアイコンを左右または上下方向に配列する上位階層表示部と、該上位階層表示部の特定位置にある項目に属する複数の項目のアイコンまたは説明文を前記上位階層に属する複数の項目のアイコンの配列方向と異なる方向に配列する下位階層表示部とを隣接して配置し、前記上位階層に属する複数の項目のアイコンの配列方向と一致した左右または上下方向指示キーの操作により、前記上位階層に属する複数の項目のアイコンをスクロールして所望の上位階層の項目を選択し、前記上位階層に属する複数の項目のアイコンの配列方向と異なる上下または左右方向指示キーの操作により、前記下位階層に属する複数の項目のアイコンまたは説明文をスクロールして所望の下位階層の項目を選択するユーザインターフェース表示装置であることを特徴とする。
【００１３】
第２の技術手段は、上位階層に属する複数のフォルダのアイコンを配列する上位階層表示部と、該上位階層表示部の特定位置にあるフォルダに属する複数のファイルのサムネイルを折曲状に配列する下位階層表示部とを隣接して配置し、左右または上下方向指示キーの操作により前記複数のフォルダのアイコンをスクロールして所望のフォルダ選択し、上下または左右方向指示キーの操作により前記複数のサムネイルをスクロールして所望のファイルを選択するユーザインターフェース表示装置であることを特徴とする。
【００１４】
第３の技術手段は、第２の技術手段のユーザインターフェース表示装置において、前記上位階層表示部は前記複数のフォルダのアイコンを左右方向に配列し、前記下位階層表示部は選択されたフォルダに属する複数のファイルのサムネイルを上下方向に折曲状に配列し、折曲部に位置するサムネイルは他のサムネイルより大サイズであって、前記フォルダのアイコンは左右方向指示キーの操作により選択し、前記ファイルのサムネイルは上下方向指示キーの操作により選択することを特徴とする。
【００１５】
第４の技術手段は、第２の技術手段のユーザインターフェース表示装置において、前記上位階層表示部は前記複数のフォルダのアイコンを上下方向に配列して画面側部に配置し、前記下位階層表示部は前記上位階層表示部の側方に配置して、選択された前記フォルダに属する複数のファイルのサムネイルを左右方向に折曲状に配列し、折曲部に位置するサムネイルは他のサムネイルより大サイズであって、前記フォルダのアイコンは上下方向指示キーの操作により選択し、前記ファイルのサムネイルは左右方向指示キーの操作により選択することを特徴とする。
【００１６】
第５の技術手段は、第３または４の技術手段のユーザインターフェース表示装置において、前記折曲部に位置するサムネイルのファイル情報を表示することを特徴とする。
【００１７】
第６の技術手段は、第３または４の技術手段のユーザインターフェース表示装置において、前記下位階層表示部に表示されているサムネイルのファイルが前記複数のファイル全体に対して占める位置及び大きさを表示することを特徴とする。
【００１８】
第７の技術手段は、第３または４の技術手段のユーザインターフェース表示装置において、前記ファイル選択位置のサムネイルを所定の操作によって全画面表示にすることを特徴とする。
【００１９】
第８の技術手段は、上位階層に属する複数のフォルダのアイコンを左右または上下方向に配列する上位階層表示部と、該上位階層表示部の特定位置にあるフォルダに属する複数のファイルのファイル情報を上下または左右方向に並列して配列するとともに、所定位置にある前記ファイル情報及びその前後の所定数のファイルのサムネイルを上下または左右方向に配列する下位階層表示部とを隣接して配置し、左右または上下方向指示キーの操作により前記複数のフォルダのアイコンをスクロールして所望のフォルダを選択し、上下または左右方向指示キーの操作により前記ファイル情報をスクロールして所望のファイルを選択するユーザインターフェース表示装置であることを特徴とする。
【００２０】
第９の技術手段は、第８の技術手段のユーザインターフェース表示装置において、前記下位階層表示部に表示されているファイル情報のファイルが前記複数のファイル全体に対して占める位置及び大きさを表示することを特徴とする。
【００２１】
第１０の技術手段は、第８の技術手段のユーザインターフェース表示装置において、前記ファイル選択位置のファイルのサムネイルを所定の操作によって全画面表示にすることを特徴とする。
【００２２】
第１１の技術手段は、上位階層に属する複数の機能のアイコンを左右または上下方向に配列する上位階層表示部と、該上位階層表示部の特定位置にある機能に属する複数の機能のアイコンまたは説明文を前記上位階層に属する複数の機能のアイコンと交叉する方向に配列する下位階層表示部とを隣接して配置し、前記上位階層に属する複数の機能のアイコンの配列方向と一致した左右または上下方向指示キーの操作により、前記上位階層に属する複数の機能のアイコンをスクロールして所望の上位階層の機能を選択し、前記下位階層に属する複数の機能のアイコンまたは説明文の配列方向と一致する上下または左右方向指示キーの操作により、前記下位階層の複数の機能のアイコンまたは説明文をスクロールして所望の下位階層の機能を選択するユーザインターフェース表示装置であることを特徴とする。
【００２３】
第１２の技術手段は、上位階層に属する複数のフォルダのアイコンを配列する上位階層表示部と、該上位階層表示部の特定位置にあるフォルダに属する複数のファイルのサムネイルを折曲状に配列する下位階層表示部とが隣接して配置され、前記上位階層表示部で所望のフォルダを選択し、前記下位階層表示部で所望のファイルを選択するユーザインターフェース表示装置の操作方法において、前記フォルダは左右または上下方向指示キーの操作によって前記複数のフォルダのアイコンをスクロールして前記所望のフォルダを前記特定位置に移動させて選択し、前記ファイルは上下または左右方向指示キーの操作によって前記複数のサムネイルをスクロールして前記所望のファイルのサムネイルを折曲部に移動させて選択することを特徴とする。
【００２４】
第１３の技術手段は、上位階層に属する複数のフォルダのアイコンを左右または上下方向に配列する上位階層表示部と、該上位階層表示部の特定位置にあるフォルダに属する複数のファイルのファイル情報を上下または左右に並列して配列するとともに、所定位置にある前記ファイル情報のファイル及びその前後の所定数のファイルのサムネイルを上下または左右方向に配列する下位階層表示部とが隣接して配置され、前記上位階層表示部で所望のフォルダを選択し、前記下位階層表示部で所望のファイルを選択するユーザインターフェース表示装置の操作方法において、前記フォルダは左右または上下方向指示キーの操作によって前記複数のフォルダのアイコンをスクロールして前記所望のフォルダを前記特定位置に移動させて選択し、前記ファイルは上下または左右方向指示キーの操作によって前記ファイル情報をスクロールして前記所望のファイルのファイル情報をファイル選択位置に移動させて選択することを特徴とする。
【００２５】
第１４の技術手段は、上位階層に属する複数の機能のアイコンを左右または上下方向に配列する上位階層表示部と、該上位階層表示部の特定位置にある機能に属する複数の機能のアイコンまたは説明文を前記上位階層に属する項目のアイコンと交叉する方向に配列する下位階層表示部とが隣接して配置され、前記上位階層表示部で上位階層の所望の機能を選択し、前記下位階層表示部で下位階層の所望の機能を選択するユーザインターフェース表示装置の操作方法において、前記上位階層表示部の機能は左右または上下方向指示キーの操作によって前記複数の機能のアイコンをスクロールして前記所望の機能のアイコンを前記上位階層表示部の特定位置に移動させて選択し、前記下位階層表示部の機能は上下または左右方向指示キーの操作によって前記複数の機能のアイコンまたは説明文をスクロールして前記所望の機能のアイコンまたは説明文を選択位置に移動して選択することを特徴とする。
【発明の効果】
【００２６】
本発明によれば、多階層構造の２層に属する機能、フォルダ、ファイル等の項目を表示領域の中に複数画像を画面利用効率よく表示しながら、例えばユーザによるフォルダ等のスクロール操作と前記フォルダに属する複数のファイルのサムネイル等のスクロール処理との観念性が容易に理解でき、さらにスクロール処理時に互いに隣り合う画像の表示を妨げることのない表示処理を実現することが可能になる。
【００２７】
また、表示領域の中に複数画像を画面利用効率よく表示しながら、ユーザによる方向指示キー操作に対してサムネイルのスクロール操作及び各サムネイルの所在先もしくは保存先との観念性が容易に理解でき、ユーザが数多くのファイルの中から所望の画像情報を容易な操作で迅速に検索することが可能になる。
【発明を実施するための最良の形態】
【００２８】
本発明は、ユーザインターフェース表示装置及び方法において、階層構造の２階層、例えばフォルダと該フォルダに属するファイルの表示を、フォルダのアイコン表示とファイルのサムネイル表示によって行い、多くのフォルダ及びファイルの中から所望のファイルを迅速、的確に選択するユーザインターフェース表示装置及び表示装置の操作方法に関し、ユーザによるフォルダのスクロール操作とサムネイルのスクロール処理との観念性が容易に理解でき、所望する画像情報をいち早くかつ容易な操作で検索することができるようにしたもので、そのための構成は、上位階層の複数のフォルダのアイコンを画面の上位階層表示部に左右方向に配列し、その特定位置に表示されたフォルダに属する下位階層の複数のファイルのサムネイルを下位階層表示部に上下方向に略く字状、略Ｃ字状のように折曲状に配列し、その特定位置である折曲部に位置するサムネイルは相対的に大サイズとし、前記フォルダのアイコンは、左右方向指示キーの操作によって選択し、前記ファイルのサムネイルは、上下方向指示キーの操作によって選択するものである。
以下、本発明のユーザインターフェース表示装置及びその操作方法を図１〜図１９に示す実施例に基づいて説明する。
【実施例１】
【００２９】
図１は、実施例１のユーザインターフェース表示装置を示す図である。
実施例１のユーザインターフェース表示装置は、パーソナルコンピュータ（ＰＣ）、ＰＤＡ、モバイル機器、カーナビ、携帯電話、ゲーム機等あらゆる情報処理装置におけるユーザインターフェース用の表示装置として用いることができ、表示用の情報を格納し提供する手段としては、ハードディスク（ＨＤＤ）、ＤＶＤ、ＣＤ、ＳＤ／ＣＦカード等に限らずコンピュータによって読み取りが可能なあらゆるメディアが対象となる。
【００３０】
図１に示すユーザインターフェース表示装置は、各種情報が複数の階層からなる階層構造で記録されているＳＤカードから読み出した複数のフォルダがアイコンの形で画面上方に横１列に配置されている例で、それぞれのアイコンにはフォルダ名Ａ，Ｂ，Ｃ，…，Ｎが表示される上位階層表示部１と、上位階層表示部１の下方に位置する下位階層表示部２とからなる。上位階層表示部１に表示されるフォルダの数は任意であり、一覧性を高めるために多いことが好ましいが、画面サイズや解像度に応じて最も好ましい数に設定される。図１に示す例では、フォルダＡのアイコンの上方には、フォルダＡ，Ｂ，Ｃ，…，Ｎの最上位階層のメディアを表示するメディア表示部１ｂを有する。
なお、図１に示す例では、上位階層表示部１が画面の上辺に沿って配置され、下位階層表示部２が上位階層表示部１の下方に配置されているものであるが、本発明はこのような配置に限られるものではなく、上位階層表示部１を下位階層表示部２の下方に画面の下辺に沿って配置することもできる。
【００３１】
下位階層表示部２は、上位階層表示部１の特定の位置にあるフォルダに属する一連のファイルのうちの適当数のファイルが配列されて表示される。上位階層表示部１の特定位置１ａとは、図１に示されたユーザインターフェース表示装置の場合、フォルダを示すアイコンＣが他のフォルダを示すアイコンより大きく表示され、さらに明度を大きくしたり、他と色彩を変えたり、枠を付けたりして、いわゆるフォーカスが当たっている状態にして、選択されたフォルダであることが一見して区別できるようにされている。そして、フォーカスが当たっている上位階層のフォルダＣに含まれる一連のファイルＣ１〜Ｃ２０のうちのファイルＣ１〜Ｃ５，Ｃ１７〜Ｃ２０のように適当数のファイルが下位階層表示部２に配列されて表示される。
【００３２】
上位階層のフォルダＣに含まれる一連のファイルは、下位階層表示部２において小画面に縮小され、サムネイルとして全体として略く字状、略Ｃ字状のような折曲状に配列されている。配列の順序としては、略く字状あるいは略Ｃ字状の配列において、反時計方向に新しいファイルとなるようにするのが一般的であるが、これに限られるものではない。表示されるサムネイルの数は多いほど一覧性の点からは好ましいといえるが、図１に示す例では９個のサムネイルが表示され、画面サイズや解像度に応じ最適の数が設定される。
【００３３】
サムネイルのうち左端中央部に位置する折曲部は特定位置２ａであって、この位置にあるサムネイルは、フォーカスが当たったメインサムネイルである。メインサムネイルの右方には、ファイル名、ファイルサイズ及びファイル作成日時等のファイル情報２ｂが表示されている。また、メインサムネイルは他のサムネイルに比較してサイズが拡大されたサムネイルとなっており、図１に示す例では縦横共に約３〜４倍に拡大され、細部についても詳細に表示することが可能である。
【００３４】
また、下位階層表示部２の右端にはスクロールバー２ｃが表示され、現在表示されている複数のサムネイルのファイル（Ｃ１〜Ｃ５，Ｃ１７〜Ｃ２０）がフォルダ全体（Ｃ１〜Ｃ２０）に対してどのような位置であって、どのような割合を占めているのかが直感的に把握できるようになっている。
【００３５】
実施例１のユーザインターフェース表示装置において、フォルダ及びファイルを選択し表示を遷移させる操作、及びそのときのユーザインターフェース表示について説明する。
図２は、操作キーの操作によって表示が遷移する様子を示す図である。
図２（Ａ）は、図１に示すユーザインターフェース表示装置の主要部を示し、上位階層表示部１にはフォルダＡ〜Ｆ中のＥ，Ｆ，Ａ，Ｂ，Ｃのアイコンが表示され、上位階層表示部１の特定位置１ａにあってフォーカスが当たっているフォルダＡに属するファイルＡ１〜Ａ２０のうちの、ファイルＡ１〜Ａ５，Ａ１７〜Ａ２０が下位階層表示部２にサムネイルによって表示されている。また、フォルダＢにはファイルＢ１〜Ｂ９、フォルダＣにはファイルＣ１〜Ｃ１２を有する。
【００３６】
図２（Ａ）において、下位階層表示部２に表示されたフォルダＡに属するフォルダＡの表示されているファイルＡ１〜Ａ５，Ａ１７〜Ａ２０において、略く字状配列の折曲部に位置するサムネイルは明度を大きくしたり、特別の色彩を割り当てる等により、いわゆるフォーカスが当たった特定位置２ａであることが明確にされ、このファイルＡ１のサムネイルについては大きなサイズのサムネイルによって表示されている。また、フォルダ及びファイルの表示を遷移させる操作キーとしては、特に限定するものではないが、左右方向指示キー（←），（→）、上下方向指示キー（↑），（↓）を使用し、決定キーによって選択を確定するものとする。
【００３７】
ここで、図２（Ａ）の表示状態において、右方向指示キー（→）を操作すると、図２（Ｂ）のようにフォルダの列全体が左方向にスクロールし、フォルダＥが画面上から消え、新たにフォルダＤが加わり、フォルダＦ，Ａ，Ｂ，Ｃ，Ｄが表示される。フォーカスが当たった特定位置１ａにはフォルダＢが遷移してきたことにより選択され、これと同時に、下位階層表示部２にはフォルダＢの内容である９個のファイルＢ１〜Ｂ９がサムネイルによって表示され、特定位置２ａに位置するファイルＢ１については大きなサムネイルによって表示される。
【００３８】
続いて、図２（Ｂ）の表示状態において、右方向指示キー（→）を操作すると、同様にしてフォルダＡ，Ｂ，Ｃ，Ｄ，Ｅが表示される（図２（Ｃ））。フォーカスが当たった特定位置１ａにはフォルダＣが遷移してきたことにより選択され、これと同時に、下位階層表示部２にはフォルダＣの内容であるファイルＣ１〜Ｃ１２のうちの９個のファイルＣ１〜Ｃ５、Ｃ９〜Ｃ１２がサムネイルによって表示され、特定位置２ａに位置するファイルＣ１については大きなサムネイルによって表示される。
なお、図２（Ｃ），（Ｂ）の表示状態からは、左方向指示キー（←）を操作することによって図２（Ｂ），（Ａ）の表示状態へと遷移することができる。
【００３９】
つぎに、図２（Ａ）の表示状態において、上方向指示キー（↑）を操作してファイル選択を行うと、下位階層表示部２に表示されたフォルダＡのファイルＡ１〜Ａ２０のサムネイルがそれぞれ上方へスクロールし、図２（Ｄ）の表示状態になる。つまり、ファイルＡ１〜Ａ２０のそれぞれが時計方向にサムネイルを１駒づつ循環するようにスクロールして表示され、略く字状の中央に位置するファイルＡ１は、上方へスクロールし小さなサムネイルになり、新たにファイルＡ２がメインサムネイルになり大きなサムネイルによって表示される（図２（Ｄ））。
【００４０】
さらに、図２（Ｄ）の表示状態において、上方向指示キー（↑）を操作すると、図２（Ｅ）に示すように、ファイルＡ１〜Ａ２０のそれぞれが時計方向にサムネイルを１駒ずつ循環するようにスクロールして表示され、略く字状の中央である特定位置２ａに位置するファイルＡ２は、上方へ遷移し小さなサムネイルになり、新たにファイルＡ３がメインサムネイルになり大きなサムネイルによって表示される（図２（Ｅ））。
【００４１】
ユーザは、図２（Ｅ）の表示をみた結果、選択すべきファイルはファイルＡ３であると決定したら、決定キーを操作することによって、図２（Ｆ）に示すようにファイルＡ３を全画面表示とすることができる。なお、図２（Ａ）〜図２（Ｅ）の各表示状態においても任意のサムネイルを選択して決定キーを操作することにより、全画面表示とすることができる。
【実施例２】
【００４２】
図３は、実施例２のユーザインターフェース表示装置を示す図である。
実施例２のユーザインターフェース表示装置において、上位階層表示部１にはフォルダＣ１〜Ｃ５のアイコンが表示され、特定位置１ａにはフォルダＣ３のアイコンが置かれて選択されており、下位階層表示部２にはフォルダＣ３に属する７個のファイルのサムネイルが画面の左辺領域で縦に３個、画面の下辺領域で横に４個のサムネイル、合計７個のサムネイルがＬ字状に配列され、左辺領域の中央の特定位置２ａにフォーカスが当たったファイルとなっている。フォーカスがあたったファイルは、ファイル名及び作成日時等からなるファイル情報２ｂが表示され、他のサムネイルより拡大された大きなサムネイルとして表示されている。このようなサムネイルの配列により、サムネイルを選択して、ウインドウを開かずにカーソルキーで拡大表示が可能である。
【実施例３】
【００４３】
図４は、実施例３のユーザインターフェース表示装置を示す図である。
実施例３のユーザインターフェース表示装置は、図１に示す実施例１のユーザインターフェース表示装置において、下位階層表示部２に表示される略く字状のサムネイルの配列が、左右反転され逆く字状に配列され、メインサムネイルが画面の右端に位置している例で、それ以外の構成及び操作方法は実施例１のユーザインターフェース表示装置と同様である。
【実施例４】
【００４４】
図５は、実施例４のユーザインターフェース表示装置を示す図である。
実施例４のサムネイル表示画像は、図１に示す実施例１のユーザインターフェース表示装置において、表示されるサムネイルの数を変更したもので、数を多くすればフォルダ及びファイルの一覧性が向上し、表示する数を少なくすればフォルダ及びファイルの一覧性の向上は望めないが、サムネイルのサイズを大とすることができ、用途によっては一覧性と画質との両立を図ることができる。この場合にも、サムネイルの配列を実施例３のように逆く字状にすることができる。
【００４５】
図６は、実施例４のユーザインターフェース表示装置の異なる例を示す図である。
図６のユーザインターフェース表示装置は、図５に示す実施例４のユーザインターフェース表示装置において、フォーカスが当たった特定位置２ａにあるファイルの前後に位置する２個のファイル、つまりメインサムネイルに隣接するサムネイルのサイズを下位階層表示部２において許容される最大の大きさに拡大したものである。このようにすることにより、それぞれが類似した画像であっても比較が容易になり、さらに画像が動画像であれば、その３点を同時に再生することも可能である。
【実施例５】
【００４６】
図７は、実施例５のユーザインターフェース表示装置を示す図である。
実施例５のユーザインターフェース表示装置は、下位階層表示部２に表示されるサムネイル全体の表示サイズを変更できるようにするものであって、図７（Ａ），（Ｂ），（Ｃ）間でのサイズ変更は、適宜のサイズ変更手段によって段階的あるいは連続的に変更することができる。図７（Ａ）はサムネイル全体が拡大表示されているため、ファイルの内容を個別に詳細に把握するには適するが一部のサムネイルが表示画面から外れ、サムネイルの全体量を把握するには適さない例を示し、図７（Ｂ）は表示されるサムネイル全体の幅を画面の幅に合わせ、ファイル全体の一覧性とサムネイルの大サイズ表示との両立を図った例を示し、図７（Ｃ）は、ファイルの数が多い場合、サムネイルの全体量を把握するため、あるいは他に表示すべき情報があるような場合に適した例である。
【実施例６】
【００４７】
図８は、実施例６のユーザインターフェース表示装置を示す図である。
実施例６のユーザインターフェース表示装置は、上位階層表示部１の特定位置１ａにあるフォルダに属するファイルの複数のサムネイルをスパイラル状に３Ｄ表示するもので、図８（Ａ）は、スパイラル配列の第１層中に特定位置２ａを配し、その位置のサムネイルにフォーカスを当てメインサムネイルとした例を示し、図８（Ｂ）は、スパイラル配列の第３層中に特定位置２ａを配し、そのサムネイルにフォーカスを当てメインサムネイルとした例を示すもので、サムネイルの全体量と、全体の中でどの位置のファイルのサムネイルを見ているのかを理解するのが容易である。
【実施例７】
【００４８】
図９は、実施例７のユーザインターフェース表示装置を示す図である。
実施例７のユーザインターフェース表示装置は、隣接するサムネイルの一部を重ねて配列し、メインサムネイルが最も手前にあるかのように表示する。これにより、より多くメインサムネイルを表示することができ、またメインサムネイル配置エリアの横幅を縮小し、関連情報を表示するスペースとすることもできる。
【実施例８】
【００４９】
以上、実施例１〜７の説明においては、左方向指示キーによる操作で上位階層のフォルダを選択し、上下方向指示キーによる操作で下位階層のファイルを選択する例について説明してきたが、上下方向指示キーによる操作で上位階層のフォルダを選択し、左方向指示キーによる操作で下位階層のファイルを選択する実施例について説明する。
【００５０】
図１０は、実施例８のユーザインターフェース表示装置を示す図である。
実施例８のユーザインターフェース表示装置は、複数のフォルダがアイコンの形で画面左辺に沿って縦１列に配置され、それぞれのアイコンにはフォルダ名Ａ，Ｂ，Ｃ，…，Ｎが表示される上位階層表示部１と、上位階層表示部１の右方に位置する下位階層表示部２とからなる。
【００５１】
下位階層表示部２は、上位階層表示部１の特定位置１ａにあるフォルダＣに属する一連のファイルのうちの適当数のファイルが配列されて表示される。上位階層表示部１の特定位置１ａとは、フォルダを示すアイコンＣが他のフォルダを示すアイコンより大きく表示され、さらに明度を大きくしたり、他と色彩を変えたり、枠を付けたりして、いわゆるフォーカスが当たっている状態にして、選択されたフォルダであることが一見して区別できるようにされている。そして、フォーカスが当たっている上位階層のフォルダＣに属する一連のファイルＣ１〜Ｃ２０のうちの適当数のファイルが下位階層表示部２に配列表示される。
【００５２】
上位階層のフォルダに含まれる一連のファイルＣ１〜Ｃ２０は、下位階層表示部２において小画面に縮小され、サムネイルとして全体として略Ｖ字状、略Ｕ字状のように折曲状に配列されている。配列の順序としては、略Ｖ字状、略Ｕ字状の配列において、右側のファイルほど新しいファイルとなるようにするのが一般的であるが、これに限られるものではない。表示されるフォルダのアイコンやサムネイルの数は、多いほど一覧性の点からは好ましいが、図１０に示す例ではフォルダＡ〜Ｅの５個のアイコンと９個のサムネイルＣ１〜Ｃ５，Ｃ１７〜Ｃ２０が表示され、画面サイズや解像度に応じ最適の数が設定される。
【００５３】
サムネイルのうち下辺中央部に位置する折曲部は特定位置２ａであって、この位置にあるサムネイルは、フォーカスが当たったメインサムネイルである。メインサムネイルの下方には、ファイル名、ファイルサイズ及びファイル作成日時等のファイル情報２ｂが表示されている。また、メインサムネイルは他のサムネイルに比較してサイズが拡大されたサムネイルとなっており、細部についても詳細に表示することが可能である。また、下位階層表示部２の上辺に沿ってスクロールバー２ｃが表示され、現在表示されている複数のサムネイルのファイルがフォルダ全体に対してどのような位置であって、どのような割合を占めているのかが直感的に把握できるようになっている。
【００５４】
実施例８のユーザインターフェース表示装置において、上下方向指示キーを操作することによりフォルダＡ，Ｂ，Ｃ，…，Ｎのアイコンの列全体を上下方向にスクロールし、所望のフォルダ、例えばフォルダＣを特定位置１ａに置いて選択すると、フォルダＣに属するファイルＣ１〜Ｃ５，Ｃ１７〜Ｃ２０がサムネイルによって表示される。ここで、例えば左右方向指示キーを操作すると、サムネイル全体が反時計方向あるいは反時計方向にスクロールし、所望のサムネイルを折曲部に置いて選択し、決定キーを操作することによって全画面表示とすることができる。
【実施例９】
【００５５】
図１１は、実施例９のユーザインターフェース表示装置を示す図である。
実施例９のユーザインターフェース表示装置は、複数のフォルダがアイコンの形で画面左辺に沿って縦１列に配置されており、それぞれのアイコンにはフォルダ名Ａ，Ｂ，Ｃ，…，Ｎが表示される上位階層表示部１と、上位階層表示部１の右方に位置する下位階層表示部２とからなる。
【００５６】
下位階層表示部２は、上位階層表示部１の特定位置１ａにあるフォルダＣに属する一連のファイルＣ１〜Ｃ２０のうちの適当数のファイルが配列されて表示される。上位階層表示部１の特定位置１ａとは、フォルダＣを示すアイコンが他のフォルダを示すアイコンより大きくしたり、明度を大きくしたり、他と色彩を変えたり、枠を付けたりして、いわゆるフォーカスが当たっている状態にして、選択されたフォルダであることが一見して区別できるようにされる。そして、フォーカスが当たっている上位階層のフォルダＣに属する一連のファイルのうちの適当数のファイルＣ１〜Ｃ５，Ｃ１７〜Ｃ２０はサムネイルとされ、実施例１の下位階層表示部２の表示と同様、略く字状、略Ｃ字状あるいは左右反転した形状に配列表示される。
【００５７】
サムネイルのうち下辺中央部に位置する折曲部は特定位置２ａであって、この位置にあるサムネイルは、フォーカスが当たったメインサムネイルである。メインサムネイルの下方には、ファイル名、ファイルサイズ及びファイル作成日時等のファイル情報２ｂが表示されている。また、下位階層表示部２の右辺に沿ってスクロールバー２ｃが表示され、現在表示されている複数のサムネイルのファイルがフォルダ全体に対してどのような位置であって、どのような割合を占めているのかが直感的に把握できるようになっている。
【００５８】
実施例９のユーザインターフェース表示装置において、上下方向指示キーを操作することによりフォルダＡ，Ｂ，Ｃ，…，Ｎのアイコンの列全体を上下方向にスクロールし、所望のフォルダ、例えばフォルダＣを特定位置１ａに置いて選択すると、フォルダＣに属するファイルＣ１〜Ｃ５，Ｃ１７〜Ｃ２０がサムネイルによって表示される。ここで、例えば左右方向指示キーを操作すると、サムネイル全体が反時計方向あるいは反時計方向にスクロールし、所望のサムネイルを折曲部に置いて選択し、決定キーを操作することによって全画面表示とすることができる。
【実施例１０】
【００５９】
図１２は、実施例１０のユーザインターフェース表示装置を示す図である。
実施例１０のユーザインターフェース表示装置は、下位階層表示部２に表示される複数のサムネイルが実施例８，９のユーザインターフェース表示装置のように全体として略Ｖ字状、略Ｕ字状のように折曲状に配列されているのではなく、左右方向に一列に配列されている。配列の順序としては、右側のファイルほど新しいファイルとなるようにするのが一般的である。
【実施例１１】
【００６０】
次に、下位階層表示部の表示された複数のサムネイルから所望のサムネイルを選択して検索する例に代え、複数のファイル情報及びサムネイルから所望のファイルを選択して検索する例について、以下説明する。
図１３は、実施例１１のユーザインターフェース表示装置を示す図である。
実施例１１のユーザインターフェース表示装置において、画面上部の上位階層表示部１には上位階層のフォルダＡ，Ｂ，Ｃ，Ｄ，Ｅがアイコンの形で表示され、上位階層表示部１の中央である特定位置１ａにはフォーカスが当たっており、この特定位置にあるフォルダＣが選択されていることが一見して理解できるようになっている。また、フォルダＡのアイコンの上方には、フォルダＡ，Ｂ，Ｃ，…，Ｎの最上位階層のメディアを表示するメディア表示部１ｂを有する。
【００６１】
画面の下位階層表示部２には、上位階層表示部１で選択されているフォルダＣに属する一連のファイルＣ１〜Ｃ２０のうちのファイルＣ１〜Ｃ４，Ｃ１８〜Ｃ２０のように適当数のファイルに関するファイル名、情報量、作成日時等のファイル情報が縦方向に並列して表示され、フォーカスが当たっている特定位置２ａにあるファイルＣ１及びその前後のファイルＣ２，Ｃ２０のように適当数のファイルがサムネイル表示される。また、右側辺には、現在表示されているファイル情報のファイル（Ｃ１８〜Ｃ２０，Ｃ１〜Ｃ４）がファイル全体（Ｃ１〜Ｃ２０）に対して占める位置及び大きさを示すスクロールバー２ｃが表示される。ここで、フォルダＡ，Ｂ，Ｃ，…，Ｎのうちどれだけのフォルダを表示するか、ファイルＣ１〜Ｃ２０のうちのどれだけのファイルを表示するかは、画面サイズや解像度に応じて最も好ましい数に設定される。
【実施例１２】
【００６２】
図１４は、実施例１２のユーザインターフェース表示装置を示す図である。
実施例１２のユーザインターフェース表示装置は、図１３に示した実施例１１においてフォーカスが当てられた特定位置２ａにあるファイルのサムネイルを拡大し、ファイル名、ファイル作成日時、ファイルの大きさ等のファイル情報が表示された位置に透過表示するものである。これにより大サイズのサムネイルとともに多くの情報の表示が可能となる。
【実施例１３】
【００６３】
図１５は、実施例１３のユーザインターフェース表示装置を示す図である。
実施例１３のユーザインターフェース表示装置は、図１５に示す実施例１２のサムネイルを３Ｄ空間上にレイヤー表示するもので、３個の異なる下位階層表示部２１〜２３を重ねて透過して観察する表示効果を与え、サムネイルの全体量と、全体の中でどの位置のサムネイルを見ているのかが容易に理解可能である。
【実施例１４】
【００６４】
図１６は、実施例１４のユーザインターフェース表示装置を示す図で、図１６（Ａ）は、情報処理装置のトップメニューの例を示し、図１６（Ｂ）は、同じくサブメニューの例を示す。
実施例１４の表示装置は、表示する２階層の項目が、フォルダとサムネイルといった関係以外の場合に用いられる。
図１６（Ａ）において、トップメニュー画面の上位階層表示部１には選択可能な、「写真閲覧」、「動画閲覧」、「電子ブック閲覧」といった機能を表すアイコンが左右方向に配列され、特定位置１ａである中央の「写真ビュー」のアイコンにフォーカスが当たり選択されている。上位階層表示部１の下方の下位階層表示部２には、上位階層表示部１の特定位置１ａによって選択されたアイコンの機能が保存されている場所あるいはメディアを示す「ＰＣ」、「ＳＤ／ＣＦカード」、「ＨＤＤ１」、「ＨＤＤ２」が表示され、特定位置２ａに位置する「ＳＤ／ＣＦカード」にフォーカスが当たって選択され、決定キーを操作することによって、ＳＤ／ＣＦカードからデータを読み出すことができる。
【００６５】
また、図１６（Ｂ）に示すサブメニュー画面では、上位階層表示部１にはフォルダやファイルの操作に関する「移動」、「コピー」、「新規フォルダ」といったアイコンが左右方向に配列され、中央の特定位置１ａにある「コピー」のアイコンにフォーカスが当たり選択されている。下位階層表示部２には「コピー」の目的に相当する選択項目「フォルダ１件」、「フォルダ内全件」、「ファイル１件」、「ファイル選択」、等が表示され、フォーカスが当たった特定位置２ａには「フォルダ１件」が選択されている。また、下位階層表示部２の背景には、選択されたフォルダに属するファイルの内の７個のファイルのファイル名、作成日時とともに、フォーカスが当たったファイル及びフォーカスが当たったファイルの前後のファイルのサムネイルが背景として透過して表示されている。この状態で決定キーが操作されると、指定されたフォルダのファイル１件が指定された場所にコピーされることになる。
【００６６】
図１７は、記録媒体に記録されたフォルダとファイルの多階層構造、及び本発明のユーザインターフェース表示装置を用いて多階層構造を表示する様子を示す図で、図１７（Ａ）は、記録媒体に記録されたフォルダ及びファイルの階層構造を示し、図１７（Ｂ）〜図１７（Ｆ）は、表示装置において、操作キーの操作によってユーザインターフェース表示が遷移する様子を示す図である。なお、図１７（Ａ）に示すような多階層構造は実施例１〜１４の表示装置のいずれを用いても表示することができるが、以下の説明では、実施例１１の表示装置を用いて説明する。
図１７（Ｂ）〜図１７（Ｆ）に基づき、表示を遷移させる操作について説明する。記録媒体（メディア）、フォルダ及びファイルの表示を遷移させる操作キーとしては、左右方向指示キー（→），（←）、上下方向指示キー（↑），（↓）を使用し、決定キーによって選択を確定するものとする。
図１７（Ｂ）の表示において、例えば右方向指示キー（→）を操作すると、メディアの列全体が左方にスクロールし、メディアＥが画面上から消去され、右端に新たにメディアＤが加わり、メディアＦ，Ａ，Ｂ，Ｃ，Ｄが表示される。
【００６７】
図１７（Ｂ）の表示では、メディアＡに記録されたフォルダＡａ〜ＡｈのうちフォルダＡａ〜Ａｇのフォルダ情報が下位階層表示部２に表示され、中央の特定位置２ａに位置するフォルダＡｄにフォーカスが当たっており、フォルダＡｄのアイコン及びその両隣のフォルダのアイコンＡｃ，Ａｅが左辺に沿って縦方向に表示されている。この表示において、つまりフォルダＡｄが選択された状態で決定キーを操作すると表示状態は遷移し（図１７（Ｃ））、上位階層表示部１にはフォルダＡａ〜ＡｈのうちのフォルダＡｂ〜Ａｆが表示され、フォルダＡｄがフォーカスが当たった特定位置１ａにくる。
【００６８】
これと同時に、下位階層表示部２にはフォルダＡｄの内容であるフォルダＡｄ１〜Ａｄ５、及びファイルＡｄ（１）〜Ａｄ（３）のうちのフォルダＡｄ１〜Ａｄ４、及びファイルＡｄ（１）〜Ａｄ（３）が名前、情報量、作成日時等のフォルダ情報ファイル情報と共に表示される。ここで、フォルダＡｄ３を選択するために下方向指示キー（↓）を２回押圧操作すると、全体が上方向にスクロールし、フォルダＡｄ３が特定位置２ａに移動してフォーカスが当たり、図１７（Ｄ）のように表示される。下位階層表示部２の左端にはフォルダＡｄ３及びその前後のフォルダＡｄ２，Ａｄ４がサムネイルによって表示される。
【００６９】
図１７（Ｄ）のフォルダＡｄ３が選択された状態において決定キーを操作すると表示状態は図１７（Ｅ）に遷移し、上位階層表示部１にはフォルダＡｄ１〜Ａｄ５、及びファイルＡｄ（１）〜Ａｄ（３）のうちのフォルダＡｄ１〜Ａｄ５が表示され、フォルダＡｄ３がフォーカスが当たった特定位置１ａにくる。これと同時に、下位階層表示部２にはフォルダＡｄ３の内容であるファイルＡｄ３（１）〜Ａｄ３（８）のうちのファイルＡｄ３（１）〜Ａｄ３（４）、及びＡｄ３（６）〜Ａｄ３（８）が名前、情報量、作成日時等のファイル情報とともに表示される。
【００７０】
図１７（Ｅ）のファイルＡｄ３（１）が選択され、サムネイルが表示された状態において決定キーを操作すると、ファイルＡｄ３（１）のサムネイルが拡大表示され図１７（Ｆ）に示すような全画面表示になる。
【００７１】
次に、実施例１〜１４のユーザインターフェース表示装置を構成する表示処理回路について説明する。
図１８は、本発明のユーザインターフェース表示装置の表示処理回路を示すブロック図である。
本発明のユーザインターフェース表示装置を制御する表示処理回路は、ＣＰＵからなるフォルダ／ファイルリスト表示制御部１０、操作入力部１１、操作パネル制御検出部１２、ハードディスク等の記録媒体を有する記録再生装置１３、ファイルシステム部１４、画像ファイルデコード部１５、画像レイアウト処理部１６、フォルダ／ファイルリスト画面作成部１７、画像とリスト画面の合成表示処理部１８、モニタ出力部１９等から構成されている。
【００７２】
図１９は、図１８に示す表示処理回路において、実施例１〜１４のユーザインターフェース表示を行う際の処理を示すフローチャートである。
ＰＣ、ＰＤＡ、モバイル機器、カーナビ、ゲーム機等の表示画面を備えた情報処理装置において、ユーザがキーボード、ポインティングデバイス、ジョイスティック等からなる操作入力部１１を操作して、記録再生装置１３の記録媒体からリスト画面を読み出し、リスト画面を表示するように指示する（ステップ１）。
【００７３】
操作パネル制御検出部１２によってリスト画面表示要求が検出されると（ステップ２）、フォルダ／ファイルリスト表示制御部１０はファイルシステム部１４に対してＨＤＤ等の記録媒体を内蔵する記録再生装置１３からフォルダとファイルの情報を読み出すように指示し、その読み出した情報をファイルシステム部１４に保持する（ステップ３）。
次に、ファイルシステム部１４に保持されているフォルダとファイルの情報から、フォルダ／ファイルリスト画面作成部１７においてリスト画面を生成する（ステップ４）。
【００７４】
ステップ３においてファイルシステム部１４に保持したフォルダとファイルの情報を読み出し、画像ファイルデコード部１５によって画像ファイルをデコードし、画像イメージに展開する（ステップ５）。
次に、画像レイアウト処理部１６において、ステップ５でデコードした画像を必要な画面位置にレイアウトする（ステップ６）。
【００７５】
画像とリスト画面の合成表示処理部１８にて、ステップ４において生成したリスト画面と、ステップ６において生成した画像レイアウト画面を合成する（ステップ７）。
次に、モニタ出力部１９において、ステップ７で生成したリスト画面をモニタ出力する（ステップ８）。
【図面の簡単な説明】
【００７６】
【図１】実施例１のユーザインターフェース表示装置を示す図である。
【図２】操作キーの操作によって表示が遷移する様子を示す図である。
【図３】実施例２のユーザインターフェース表示装置を示す図である。
【図４】実施例３のユーザインターフェース表示装置を示す図である。
【図５】実施例４のユーザインターフェース表示装置を示す図である。
【図６】実施例４のユーザインターフェース表示装置の異なる例を示す図である。
【図７】実施例５のユーザインターフェース表示装置を示す図である。
【図８】実施例６のユーザインターフェース表示装置を示す図である。
【図９】実施例７のユーザインターフェース表示装置を示す図である。
【図１０】実施例８のユーザインターフェース表示装置を示す図である。
【図１１】実施例９のユーザインターフェース表示装置を示す図である。
【図１２】実施例１０のユーザインターフェース表示装置を示す図である。
【図１３】実施例１１のユーザインターフェース表示装置を示す図である。
【図１４】実施例１２のユーザインターフェース表示装置を示す図である。
【図１５】実施例１３のユーザインターフェース表示装置を示す図である。
【図１６】実施例１４のユーザインターフェース表示装置を示す図である。
【図１７】記録媒体に記録されたフォルダとファイルの多階層構造、及び本発明のユーザインターフェース表示装置を用いて、所望のファイルを選択する際に、操作キーの操作によって表示が遷移する様子を示す図である。
【図１８】本発明のユーザインターフェース表示装置の表示処理回路を示すブロック図である。
【図１９】図１８に示す表示処理回路において、実施例１〜１４のユーザインターフェース表示を行う際の処理を示すフローチャートである。
【図２０】従来のユーザインターフェース表示装置の例を示す図である。
【図２１】従来のユーザインターフェース表示装置の異なる例を示す図である。
【図２２】従来のユーザインターフェース表示装置のさらに異なる例を示す図である。
【図２３】従来のフォルダ／ファイル一覧のユーザインターフェース表示装置の要部を示す図である。
【符号の説明】
【００７７】
１…上位階層表示部、１ａ…特定位置、１ｂ…メディア表示部、２…下位階層表示部、２ａ…特定位置、２ｂ…ファイル情報、２ｃ…スクロールバー、１０…フォルダ／ファイルリスト表示制御部、１１…操作入力部、１２…操作パネル制御検出部、１３…記録再生装置、１４…ファイルシステム部、１５…画像ファイルデコード部、１６…画像レイアウト処理部、１７…フォルダ／ファイルリスト画面作成部、１８…画像とリスト画面の合成表示処理部、１９…モニタ出力部。
【図１】
2006268295.tif 000003
【図２】
2006268295.tif 000004
【図３】
2006268295.tif 000005
【図４】
2006268295.tif 000006
【図５】
2006268295.tif 000007
【図６】
2006268295.tif 000008
【図７】
2006268295.tif 000009
【図８】
2006268295.tif 000010
【図９】
2006268295.tif 000011
【図１０】
2006268295.tif 000012
【図１１】
2006268295.tif 000013
【図１２】
2006268295.tif 000014
【図１３】
2006268295.tif 000015
【図１４】
2006268295.tif 000016
【図１５】
2006268295.tif 000017
【図１６】
2006268295.tif 000018
【図１７】
2006268295.tif 000019
【図１８】
2006268295.tif 000020
【図１９】
2006268295.tif 000021
【図２０】
2006268295.tif 000022
【図２１】
2006268295.tif 000023
【図２２】
2006268295.tif 000024
【図２３】
2006268295.tif 000025